(57)【要約】【課題】本発明は、通信機能が無効にされている状態で操作対象と異なる装置に対応した送信コードを有するリモコン信号が送られてきた場合にエラー表示する映像出力装置及び映像表示装置を提供する。【解決手段】リモコン３は、操作対象となる映像出力装置１又は映像表示装置２に対応した送信コードを有するリモコン信号を映像出力装置１の受信部１４に対して送信する。映像出力装置１は、ＣＥＣ信号制御部１２の通信機能が有効に設定されている状態で、映像表示装置２に対応した送信コードを有するリモート信号を受信した場合、リモコン信号が示す操作キーを映像表示装置２に出力する。また、ＣＥＣ信号制御部１２の通信機能が無効に設定されている状態で、映像表示装置２に対応した送信コードを有するリモコン信号を受信した場合には、その旨を報知する報知画面を映像表示装置２に出力し、表示部２８に表示させる。【選択図】図１
2009218957.tif 000002
【特許請求の範囲】
【請求項１】
映像表示装置と通信する通信部と、該通信部の通信機能を有効又は無効に設定する設定部と、操作対象を識別するための送信コードを有する遠隔操作信号を受信する受信部と、該受信部が受信した遠隔操作信号が有する送信コードが前記映像表示装置に対応するか否かを判定する判定手段とを備え、前記設定部が前記通信機能を有効に設定した状態で前記判定手段により前記送信コードが前記映像表示装置に対応すると判定された場合、前記受信部が受信した遠隔操作信号に基づいて前記映像表示装置を制御する映像出力装置において、
前記設定部が前記通信機能を無効に設定した状態で前記判定手段により前記送信コードが前記映像表示装置に対応すると判定された場合、前記遠隔操作信号の操作対象が前記映像表示装置である旨を報知する報知画面を出力する出力手段
を備えることを特徴とする映像出力装置。
【請求項２】
前記通信部は、ＨＤＭＩ規格のＣＥＣを使用することを特徴とする請求項１に記載の映像出力装置。
【請求項３】
映像出力装置と通信する通信部と、該通信部の通信機能を有効又は無効に設定する設定部と、操作対象を識別するための送信コードを有する遠隔操作信号を受信する受信部と、該受信部が受信した遠隔操作信号が有する送信コードが前記映像出力装置に対応するか否かを判定する判定手段とを備え、前記設定部が前記通信機能を有効に設定した状態で前記判定手段により前記送信コードが前記映像出力装置に対応すると判定された場合、前記受信部が受信した遠隔操作信号に基づいて前記映像出力装置を制御する映像表示装置において、
前記設定部が前記通信機能を無効に設定した状態で前記判定手段により前記送信コードが前記映像出力装置に対応すると判定された場合、前記遠隔操作信号の操作対象が前記映像出力装置である旨を報知する報知画面を表示する表示手段
を備えることを特徴とする映像表示装置。
【請求項４】
前記通信部は、ＨＤＭＩ規格のＣＥＣを使用することを特徴とする請求項３に記載の映像表示装置。
【発明の詳細な説明】
【技術分野】
【０００１】
本発明は、通信機能が無効にされている状態で操作対象と異なる装置に対応した送信コードを有するリモコン信号が送られてきた場合にエラー表示する映像出力装置及び映像表示装置に関する。
【背景技術】
【０００２】
近年、複数の装置で構成されるシステムにおいて夫々の装置専用の遠隔操作装置（リモートコントローラ、以下リモコンと呼ぶ）を各操作する煩わしさを解消するために、複数の装置を切替えて遠隔操作することが可能なマルチリモコンが使われてきている。一般にマルチリモコンは、操作対象とする装置を選択するために切替スイッチが設けられており、ユーザが切替スイッチを遠隔操作する装置に対応するスイッチ位置に切り替えた後にリモコンを操作して遠隔操作するよう構成されている。
【０００３】
ところが、ユーザがマルチリモコンの切替スイッチを操作対象の装置に切替えることを失念し、マルチリモコンから操作対象に対応しない送信コードを有する遠隔操作信号（リモートコントロール信号、以下リモコン信号と呼ぶ）が操作対象の装置に送られてくる場合がある。この場合、操作対象の装置がリモコン信号を受け付けないために、ユーザは操作対象の装置が動作不良にあると誤認識する虞がある。そこで、特許文献１に記載の電子機器は、操作対象の装置と対応しない送信コードを有するリモコン信号が送られてきた場合に、ユーザにリモコンの切替スイッチが正しく切替えられていない旨をエラー表示することで、ユーザが操作対象の装置が動作不良にあると誤認識する虞を防止する。
【０００４】
また、近年、次世代テレビ向けのデジタルインタフェース規格であるＨＤＭＩ（High-Definition Multimedia Interface）規格により映像出力装置及び映像表示装置等を接続してリンク機能を実現したものが用いられている。ＨＤＭＩは、機器間を相互に接続する１本のＨＤＭＩケーブルを介して映像音声信号を伝送するのみならず、ＣＥＣ（Consumer Electronics Control）による制御信号を双方向に伝送することが可能である。リンク機能が有効である映像出力装置及び映像表示装置においては、映像出力装置が映像表示装置に対応した送信コードを有するリモコン信号をマルチリモコンから受信した場合、受信したリモコン信号に基づいてＨＤＭＩケーブルを介して映像表示装置に制御信号を送り制御することが可能である。
【０００５】
また、映像表示装置が映像出力装置に対応した送信コードを有するリモコン信号をマルチリモコンから受信した場合、受信したリモコン信号に基づいてＨＤＭＩケーブルを介して映像出力装置に制御信号を送り制御することも可能である。これにより、リンク機能が有効である場合、マルチリモコンの切替スイッチが操作対象に正しく切替えられているか否かに関わらず、ユーザが所望の装置を遠隔操作することが可能となる映像出力装置及び映像表示装置が提供されている。
【特許文献１】特開２００５−５１３１０号公報
【発明の開示】
【発明が解決しようとする課題】
【０００６】
しかしながら、特許文献１に記載の電子機器を、リンク機能が無効にされた映像出力装置及び映像表示装置に用いた場合、エラー表示機能が正しく動作するものの、リンク機能が有効にされた場合には、切替スイッチのスイッチ位置に関わらず遠隔操作することが可能であるにも関わらず、操作対象の装置と対応しない送信コードを有するリモコン信号が送られてきた際にエラー表示するという問題があった。
【０００７】
本発明は斯かる事情に鑑みてなされたものであり、通信部が無効にされた状態で遠隔操作信号が有する送信コードが映像表示装置に対応する場合、その旨を報知する報知画面を映像表示装置に出力する出力手段を備えることにより、映像表示装置を制御するリンク機能及びマルチリモコンの切替スイッチが操作対象に切替えられていない場合に映像表示装置にエラー表示する機能を備える映像出力装置を提供することを目的とする。
【０００８】
また、通信部が無効にされた状態で遠隔操作信号が有する送信コードが映像出力装置に対応する場合、その旨の報知画面を表示する報知手段を備えることにより、映像出力装置を制御するリンク機能及びマルチリモコンの切替スイッチが操作対象に切替えられていない場合にエラー表示する機能を備える映像表示装置を提供することを目的とする。
【課題を解決するための手段】
【０００９】
本発明に係る映像出力装置は、映像表示装置と通信する通信部と、該通信部の通信機能を有効又は無効に設定する設定部と、操作対象を識別するための送信コードを有する遠隔操作信号を受信する受信部と、該受信部が受信した遠隔操作信号が有する送信コードが前記映像表示装置に対応するか否かを判定する判定手段とを備え、前記設定部が前記通信機能を有効に設定した状態で前記判定手段により前記送信コードが前記映像表示装置に対応すると判定された場合、前記受信部が受信した遠隔操作信号に基づいて前記映像表示装置を制御する映像出力装置において、前記設定部が前記通信機能を無効に設定した状態で前記判定手段により前記送信コードが前記映像表示装置に対応すると判定された場合、前記遠隔操作信号の操作対象が前記映像表示装置である旨を報知する報知画面を出力する出力手段を備えることを特徴とする。
【００１０】
本発明にあっては、映像表示装置と通信可能に映像出力装置の通信部が構成してあり、さらに通信部の通信機能は有効又は無効のいずれかに設定可能に構成してある。遠隔操作装置から、操作対象となる映像出力装置又は映像表示装置に対応した送信コードを有する遠隔操作信号が映像出力装置の受信部に対して送信される。映像出力装置は、通信部の通信機能が有効に設定されている状態で、映像表示装置に対応した送信コードを有する遠隔操作信号を受信した場合、受信した遠隔操作信号に基づき、通信部の通信機能を用いて映像表示装置を制御する。また、通信部の通信機能が無効に設定されている状態で、映像表示装置に対応した送信コードを有する遠隔操作信号を受信した場合には、映像表示装置を制御することができず、エラーメッセージを報知する報知画面を映像表示装置に表示させる。
【００１１】
本発明に係る映像出力装置は、前記通信部は、ＨＤＭＩ規格のＣＥＣを使用することを特徴とする。
【００１２】
本発明にあっては、映像出力装置が備えており、ＨＤＭＩ規格に準じた通信部から映像表示装置に送信されたＣＥＣ信号により、映像表示装置が制御される。
【００１３】
本発明に係る映像表示装置は、映像出力装置と通信する通信部と、該通信部の通信機能を有効又は無効に設定する設定部と、操作対象を識別するための送信コードを有する遠隔操作信号を受信する受信部と、該受信部が受信した遠隔操作信号が有する送信コードが前記映像出力装置に対応するか否かを判定する判定手段とを備え、前記設定部が前記通信機能を有効に設定した状態で前記判定手段により前記送信コードが前記映像出力装置に対応すると判定された場合、前記受信部が受信した遠隔操作信号に基づいて前記映像出力装置を制御する映像表示装置において、前記設定部が前記通信機能を無効に設定した状態で前記判定手段により前記送信コードが前記映像出力装置に対応すると判定された場合、前記遠隔操作信号の操作対象が前記映像出力装置である旨を報知する報知画面を表示する表示手段を備えることを特徴とする。
【００１４】
本発明にあっては、映像出力装置と通信可能に映像表示装置の通信部が構成してあり、さらに通信部の通信機能は有効又は無効のいずれかに設定可能に構成してある。遠隔操作装置から、操作対象となる映像出力装置又は映像表示装置に対応した送信コードを有する遠隔操作信号が映像表示装置の受信部に対して送信される。映像表示装置は、通信部の通信機能が有効に設定されている状態で、映像出力装置に対応した送信コードを有する遠隔操作信号を受信した場合、受信した遠隔操作信号に基づき、通信部の通信機能を用いて映像出力装置を制御する。また、通信部の通信機能が無効に設定されている状態で、映像出力装置に対応した送信コードを有する遠隔操作信号を受信した場合には、映像出力装置を制御することができず、エラーメッセージを報知する報知画面を表示する。
【００１５】
本発明に係る映像表示装置は、前記通信部は、ＨＤＭＩ規格のＣＥＣを使用することを特徴とする。
【００１６】
本発明にあっては、映像表示装置が備えており、ＨＤＭＩ規格に準じた通信部から映像出力装置に送信されたＣＥＣ信号により、映像出力装置が制御される。
【発明の効果】
【００１７】
本発明にあっては、通信部が無効に設定された状態で遠隔操作信号が有する送信コードが映像表示装置に対応すると判定された場合、その旨を報知する報知画面を映像表示装置に出力する出力手段を備えることにより、映像表示装置を制御するリンク機能と、マルチリモコンの切替スイッチが操作対象に切替えられていない場合に映像表示装置にエラー表示する機能とを備える映像出力装置を提供することが可能となる。
【００１８】
また、通信部が無効に設定された状態で遠隔操作信号が有する送信コードが映像出力装置に対応すると判定された場合、その旨を報知する報知画面を表示する表示手段を備えることにより、映像出力装置を制御するリンク機能と、マルチリモコンの切替スイッチが操作対象に切替えられていない場合にエラー表示する機能とを備える映像表示装置を提供することが可能となる。
【発明を実施するための最良の形態】
【００１９】
実施の形態１
以下、本実施の形態１をその実施の形態を示す図面を参照して具体的に説明する。図１は、実施の形態１に係る映像出力装置、映像表示装置及びリモコンの内部構成を示すブロック図である。図中１及び２夫々は、ＨＤＭＩケーブル４を介して相互に接続されたビデオレコーダ等の映像出力装置及びテレビジョン受像機等の映像表示装置を示す。図中３は、映像出力装置１及び映像表示装置２を遠隔操作するリモコン（遠隔操作装置）を示す。映像出力装置１は、番組表画面及び報知画面に係る映像信号を出力する映像信号出力部１１と、ＣＥＣ信号の送受信を制御するＣＥＣ信号制御部１２と、映像信号を映像表示装置２に与えると共に映像表示装置２との間でＣＥＣ信号を送受信するＨＤＭＩ通信部１３とを備える。
【００２０】
映像信号出力部１１は、映像出力装置１に後述の番組表モードが設定された場合に、番組表画面及び報知画面に係る映像信号を映像表示装置２に出力するよう構成してある。映像出力装置１は、リモコン３からリモコン信号（遠隔操作信号）を受信する受信部１４と、受信したリモコン信号が有する送信コードを復号化する復号化部１５とを備える。リモコン信号は、映像出力装置１及び映像表示装置２夫々に対応する映像出力装置コード又は映像表示装置コードからなる送信コードを有する。復号化部１５は、リモコン信号が有する送信コードが映像出力装置コード又は映像表示装置コードのいずれかであるかを判定し、判定結果に基づいてリモコン信号を復号化し、リモコン信号が示す操作キーを取得するよう構成してある。
【００２１】
さらに映像出力装置１は、ＣＰＵ（Central Processing Unit）１０を備えており、ＣＰＵ１０は、バス１０ａを介して、映像信号出力部１１、ＣＥＣ信号制御部１２、復号化部１５、ＲＡＭ（Random Access Memory）１６及びＲＯＭ（Read-Only Memory）１７と接続されている。復号化部１５は、バス１０ａを介して、リモコン信号が示す操作キー及びリモコン信号が有する送信コードの判定結果をＣＰＵ１０に与える。また、ＣＰＵ１０は、ＲＯＭ１７に予め記憶されたプログラムをＲＡＭ１６に読み出して実行することにより、映像出力装置１内のハードウェア各部の動作を制御すると共に、種々のソフトウェア的機能を実現する。ＲＡＭ１６は、ＲＯＭ１７から読み出された制御プログラムの他、ＣＰＵ１０が各部の制御処理又は演算処理等を行う際に発生する一時的なデータも記憶するよう構成してある。
【００２２】
映像表示装置２は、番組表画面及び報知画面に係る映像信号を出力する映像信号出力部２１と、ＣＥＣ信号の送受信を制御するＣＥＣ信号制御部２２と、映像出力装置１から映像信号が与えられると共に映像出力装置１との間でＣＥＣ信号を送受信するＨＤＭＩ通信部２３と、映像信号を表示する表示部２８とを備える。映像信号出力部２１は、映像表示装置２に後述の番組表モードが設定された場合、表示部２８に番組表画面及び報知画面に係る映像信号を出力するよう構成してある。表示部２８は、映像出力装置１から映像信号が与えられた場合、映像出力装置１が出力する番組表画面及び報知画面を表示し、映像信号出力部２１が映像信号を出力する場合、映像信号出力部２１が出力する番組表画面及び報知画面を表示するよう構成してある。
【００２３】
映像出力装置１のＣＥＣ信号制御部１２及びＨＤＭＩ通信部１３並びに、映像表示装置２のＣＥＣ信号制御部２２及びＨＤＭＩ通信部２３は、映像出力装置１及び映像表示装置２を相互に操作するリンク機能（通信機能）を実現している。ＣＥＣ信号制御部１２、２２は、リンク機能に係る通信機能の有効又は無効のいずれかをユーザにより切替可能に構成してある。映像出力装置１及び映像表示装置２におけるリンク機能は、ＣＥＣ信号制御部１２、２２夫々の通信機能が共に有効に切替えられている場合に、有効に設定される。リンク機能が有効に設定された場合、各装置の番組表モードの設定状態及び受信したリモコン信号が示す操作キーを相互に送受信することが可能に構成してある。また、リンク機能の有効及び無効の設定に関わらず、映像出力装置１が出力する映像信号はＨＤＭＩ通信部１３を介して映像表示装置２に与えられる。
【００２４】
さらに、映像表示装置２は、リモコン３からリモコン信号を受信する受信部２４と、受信したリモコン信号を復号化する復号化部２５とを備える。復号化部２５は、リモコン信号が有する送信コードが映像出力装置コード又は映像表示装置コードのいずれであるかを判定し、判定結果に基づいてリモコン信号を復号化し、リモコン信号が示す操作キーを取得するよう構成してある。さらに映像表示装置２は、ＣＰＵ２０を備えており、バス２０ａを介して、映像信号出力部２１、ＣＥＣ信号制御部２２、復号化部２５、ＲＡＭ（Random Access Memory）２６及びＲＯＭ（Read-Only Memory）２７と接続されている。復号化部２５は、バス２０ａを介して、リモコン信号が示す操作キー及びリモコン信号が有する送信コードの判定結果をＣＰＵ２０に与える。
【００２５】
ＣＰＵ２０は、ＲＯＭ２７に予め記憶されたプログラムをＲＡＭ２６に読み出して実行することにより、映像表示装置２内のハードウェア各部の動作を制御すると共に、種々のソフトウェア的機能を実現する。ＲＡＭ２６は、ＲＯＭ２７から読み出された制御プログラムの他、ＣＰＵ２０が各部の制御処理又は演算処理等を行う際に発生する一時的なデータも記憶するよう構成してある。リモコン３は、映像出力装置１の受信部１４及び映像表示装置２の受信部２４に赤外線を利用したリモコン信号を送信する送信部３４を備えており、映像出力装置１又は映像表示装置２を遠隔から操作することができるよう構成されている。
【００２６】
また、リモコン３は、操作対象となる映像出力装置１又は映像表示装置２を切替える切替スイッチ３１と、操作キーで構成されており、ユーザによる操作を受け付ける操作部３２とを備える。さらにリモコン３は、操作部３２が受け付けた操作に対応した操作信号を切替スイッチ３１が切替えた映像出力装置１又は映像表示装置２と対応する映像出力装置コード又は映像表示装置コードに符号化する符号化部３３を備える。送信部３４は、符号化されたリモコン信号を送信するよう構成してある。本実施の形態１では、番組表モードを夫々備える映像出力装置１及び映像表示装置２が接続されており、映像出力装置１の受信部１４がリモコン信号を受信するよう構成された例を示して、リモコン信号が示す操作キーを受付ける動作を説明する。
【００２７】
映像出力装置１は、受信したリモコン信号が映像出力装置コードを有しており、リモコン３の操作部に備えられた番組キーの操作を示している場合、番組表モードに設定する。番組表モードに設定した映像出力装置１は、番組表画面を映像表示装置２に出力して表示部２８に表示させる。また、映像出力装置１は、受信したリモコン信号が映像表示装置コードを有しており、リモコン３の操作部に備えられた番組キーの操作を示している場合、映像表示装置２を番組表モードに設定させる。番組表モードに設定された映像表示装置２は、番組表画面を表示部２８に表示する。ここで、番組表モードが映像出力装置１又は映像表示装置２に設定された状態で受信したリモコン信号が示す操作キーを受付ける動作を、リンク機能が有効に設定されている場合について説明する。
【００２８】
図２は、実施の形態１に係る番組表画面の例を示す模式図である。図２に示す例では、番組表画面であることを示すタイトル「番組表」及びテレビジョン放送波のチャンネル１（ＣＨ１）からチャンネル３（ＣＨ３）夫々において、午前１０時及び午前１２時までの間に放送される各番組の番組名からなる番組表が表示されている。また、番組名「国内のニュース」を有する番組の番組名にカーソルが位置し、番組名が反転表示されている。さらに、番組表画面が番組表モードに設定した映像出力装置１から出力されていることを示すメッセージ「映像出力装置側」が表示されている。番組表画面が番組表モードに設定した映像表示装置２により表示されている場合、係る番組表画面には図２に示すメッセージ「映像出力装置側」に置き換えてメッセージ「映像表示装置側」が表示される。
【００２９】
映像出力装置１は、番組表モードに設定している状態で受信したリモコン信号が映像出力装置コードを有しており、番組表画面に対して有効な操作キーを示している場合、係る操作キーを受付ける。例えば、リモコン信号が示す操作キーが番組表画面に対して有効なキーとして予め設定されているカーソルキーである場合、映像出力装置１は、カーソルキーを受付けて図２の例に示す番組表画面に表示されたカーソルを移動させる。映像出力装置１は、受信したリモコン信号が映像表示装置コードを有している場合、映像表示装置２にリモコン信号が示す操作キーを出力する。映像表示装置２は、番組表モードに設定している状態で映像出力装置１から与えられた操作キーが、番組表画面に対して有効な操作キーである場合、係る操作キーを受付ける。次に、番組表モードが映像出力装置１又は映像表示装置２に設定された状態で受信したリモコン信号が示す操作キーを受付ける動作を、リンク機能が無効に設定されている場合について説明する。
【００３０】
図３は、実施の形態１に係る報知画面の例を示す模式図である。映像出力装置１は、番組表モードに設定している状態で受信したリモコン信号が映像出力装置コードを有しており、番組表画面に対して有効な操作キーを示している場合、係る操作キーを受付ける。また、番組表モードを設定している状態で受信したリモコン信号が映像表示装置コードを有しており、番組表画面に対して有効な操作キーを示している場合、操作対象が誤って映像表示装置２となっているために、リモコン３の切替スイッチ３１を映像出力装置側に切替えるよう報知する報知画面を映像表示装置２に対して出力する。図３に示す例では、番組表画面にメッセージ「リモコンの切替スイッチを映像出力装置側に切替えてください。」が重畳された報知画面が示されている。
【００３１】
図４は、実施の形態１に係るリモコン信号が示す操作キーの受付処理の手順を示すフローチャートである。映像出力装置１のＣＰＵ１０は、受信部１４がリモコン信号を受信したか否かを判定する（ステップＳ１１）。ＣＰＵ１０は、リモコン信号を受信したと判定した場合（ステップＳ１１でＹＥＳ）、受信したリモコン信号が番組キーを示しているか否かを判定する（ステップＳ１２）。ＣＰＵ１０は、リモコン信号が番組キーを示していると判定した場合（ステップＳ１２でＹＥＳ）、番組表モードの設定等を行う後述の出力側モード設定処理を実行する（ステップＳ１３）。
【００３２】
映像表示装置２のＣＰＵ２０は、ＣＰＵ１０が実行した出力側モード設定処理に応じて番組表モードの設定等を行う後述の表示側モード設定処理を実行する（ステップＳ１４）。映像出力装置１のＣＰＵ１０は、受信したリモコン信号が番組キーを示しているか否かを判定するステップ１２において、番組キーを示していないと判定した場合（ステップＳ１２でＮＯ）、リンク機能が有効に設定されているか否かを判定する（ステップＳ１５）。ＣＰＵ１０は、リンク機能が有効に設定されていると判定した場合（ステップＳ１５でＹＥＳ）、映像表示装置２との間で通信を行ってリモコン信号が示す操作キーの受付を行う後述の出力側通信処理を実行する（ステップＳ１６）。映像表示装置２のＣＰＵ２０は、ＣＰＵ１０が実行する出力側通信処理に応じて後述の表示側通信処理を実行する（ステップＳ１７）。
【００３３】
ＣＰＵ２０は、図示しない電源スイッチがオフにされた場合に出力される電源オフ信号を検出することで映像表示装置２の電源がオフにされたか否かを判定する（ステップＳ１８）。ＣＰＵ２０は、電源がオフにされたと判定した場合（ステップＳ１８でＹＥＳ）、受付処理を終了する。ＣＰＵ２０は、電源がオフにされていないと判定した場合（ステップＳ１８でＮＯ）、出力側モード設定処理に応じて表示側モード設定処理を実行するステップＳ１４に処理を戻す。映像出力装置１のＣＰＵ１０は、出力側通信処理を実行するステップＳ１６の次に、図示しない映像出力装置１に設けられた電源スイッチがオフにされた場合に出力される電源オフ信号を検出することで、映像出力装置１の電源がオフにされたか否かを判定する（ステップＳ２０）。ＣＰＵ１０は、電源がオフにされたと判定した場合（ステップＳ２０でＹＥＳ）、受付処理を終了する。
【００３４】
ＣＰＵ１０は、電源がオフにされていないと判定した場合（ステップＳ２０でＮＯ）、リモコン信号を受信したか否かを判定するステップＳ１１に処理を戻す。ＣＰＵ１０は、リンク機能が有効に設定されているか否かを判定するステップＳ１５において、有効に設定されていないと判定した場合（ステップＳ１５でＮＯ）、リモコン信号が示す操作キーの受付を行う後述の出力側受付処理を実行し（ステップＳ１９）、電源がオフにされたか否かを判定するステップＳ２０に処理を移す。また、ＣＰＵ１０は、リモコン信号を受信したか否かを判定するステップＳ１１において、リモコン信号を受信していないと判定した場合（ステップＳ１１でＮＯ）、電源がオフにされたか否かを判定するステップＳ２０に処理を移す。
【００３５】
図５は、実施の形態１に係る出力側モード設定処理及び表示側モード設定処理の手順を示すフローチャートである。映像出力装置１のＣＰＵ１０は、受信したリモコン信号が有する送信コードが映像出力装置コードであるか否かを判定する（ステップＳ２１）。ＣＰＵ１０は、映像出力装置コードでないと判定した場合（ステップＳ２１でＮＯ）、映像表示装置２に番組表モードの設定を指示する（ステップＳ２２）。映像表示装置２のＣＰＵ２０は、指示に応じて番組表モードに設定し（ステップＳ２３）、番組表画面を表示部２８に表示する（ステップＳ２４）。映像出力装置１のＣＰＵ１０は、映像表示装置２の番組表モードの設定状態をＲＡＭ１６に記憶し（ステップＳ２５）、出力側モード設定処理を終了する。
【００３６】
ＣＰＵ１０は、受信したリモコン信号が有する送信コードが映像出力装置コードであるか否かを判定するステップＳ２１において映像出力装置コードであると判定した場合（ステップＳ２１でＹＥＳ）、番組表モードに設定する（ステップＳ２６）。ＣＰＵ１０は、番組表画面に係る映像信号を映像表示装置２に出力する（ステップＳ２７）。映像出力装置１のＣＰＵ１０は、番組表モードに設定した映像出力装置１の番組表モードの設定状態を映像表示装置２に出力し（ステップＳ２８）、出力側モード設定処理を終了する。映像表示装置２のＣＰＵ２０は、与えられた映像出力装置１の番組表モードの設定状態をＲＡＭ２６に記憶し（ステップＳ２９）、表示側モード設定処理を終了する。
【００３７】
図６は、実施の形態１に係る出力側通信処理及び表示側通信処理の手順を示すフローチャートである。映像出力装置１のＣＰＵ１０は、受信したリモコン信号が有する送信コードが映像出力装置コードであるか否かを判定する（ステップＳ３１）。ＣＰＵ１０は、映像出力装置コードであると判定した場合（ステップＳ３１でＹＥＳ）、番組表モードに設定しているか否かを判定する（ステップＳ３２）。ＣＰＵ１０は、番組表モードに設定していると判定した場合（ステップＳ３２でＹＥＳ）、リモコン信号が示す操作キーが番組表画面に対して予め有効に設定されている有効キーであるか否かを判定する（ステップＳ３８）。ＣＰＵ１０は、有効キーでないと判定した場合（ステップＳ３８でＮＯ）、出力側通信処理を終了する。ＣＰＵ１０は、有効キーであると判定した場合（ステップＳ３８でＹＥＳ）、リモコン信号が示す操作キーを受付けて（ステップＳ３９）、出力側通信処理を終了する。
【００３８】
ＣＰＵ１０は、番組表モードに設定しているか否かを判定するステップＳ３２において、番組表モードに設定していないと判定した場合（ステップＳ３２でＮＯ）、ＲＡＭ１６に記憶されている映像表示装置２の設定状態を読み出して映像表示装置２が番組表モードに設定されているか否かを判定する（ステップＳ３３）。ＣＰＵ１０は、映像表示装置２が番組表モードに設定されていないと判定した場合（ステップＳ３３でＮＯ）、出力側通信処理を終了する。ＣＰＵ１０は、映像表示装置２が番組表モードに設定されていると判定した場合（ステップＳ３３でＹＥＳ）、映像表示装置２にリモコン信号が示す操作キーを出力し（ステップＳ３４）、出力側通信処理を終了する。
【００３９】
映像表示装置２のＣＰＵ２０は、映像出力装置１から送られてきた操作キーを取得する（ステップＳ３５）。ＣＰＵ２０は、取得した操作キーが有効キーであるか否かを判定する（ステップＳ３６）。ＣＰＵ２０は、有効キーでないと判定した場合（ステップＳ３６でＮＯ）、表示側通信処理を終了する。ＣＰＵ１０は、有効キーであると判定した場合（ステップＳ３６でＹＥＳ）、取得した操作キーを受付けて（ステップＳ３７）、表示側通信処理を終了する。ＣＰＵ１０は、受信したリモコン信号が有する送信コードが映像出力装置コードであるか否かを判定するステップＳ３１において、映像出力装置コードでないと判定した場合（ステップＳ３１でＮＯ）、映像表示装置２が番組表モードに設定されているか否かを判定するステップＳ３３に処理を移す。
【００４０】
図７は、実施の形態１に係る出力側受付処理の手順を示すフローチャートである。映像出力装置１のＣＰＵ１０は、番組表モードに設定しているか否かを判定する（ステップＳ４１）。ＣＰＵ１０は、番組表モードに設定していると判定した場合（ステップＳ４１でＹＥＳ）、リモコン信号が示す操作キーが有効キーであるか否かを判定する（ステップＳ４２）。ＣＰＵ１０は、有効キーであると判定した場合（ステップＳ４２でＹＥＳ）、リモコン信号が有する送信コードが、映像表示装置コード及び映像出力装置コードのいずれのコードであるかを判定する（ステップＳ４３）。
【００４１】
ＣＰＵ１０は、送信コードが映像出力装置コードであると判定した場合（ステップＳ４３で“映像出力装置”）、リモコン信号が示す操作キーを受付けて（ステップＳ４４）、出力側受付処理を終了する。ＣＰＵ１０は、送信コードが映像表示装置コードであると判定した場合（ステップＳ４３で“映像表示装置”）、報知画面を映像表示装置２に出力し（ステップＳ４５）、出力側受付処理を終了する。ＣＰＵ１０は、番組表モードに設定しているか否かを判定するステップＳ４１において設定していないと判定した場合（ステップＳ４１でＮＯ）、及び有効キーであるか否かを判定するステップＳ４２において有効キーでないと判定した場合（ステップＳ４２でＮＯ）のいずれにおいても、出力側受付処理を終了する。
【００４２】
リモコンの切替スイッチ３１のスイッチ位置が操作対象と異なる映像表示装置２に誤って切替えられている場合であっても、映像表示装置コードを有するリモコン信号が示す操作キーを映像出力装置１が映像表示装置２に出力することで、映像表示装置２を操作することが可能となる。また、リンク機能が無効に設定された状態でのみ、切替スイッチ３１が操作対象に正しく切替えられていない旨を報知する報知画面を表示することにより、リンク機能が有効に設定されて切替スイッチのスイッチ位置と関係なく遠隔操作することが可能であるにも関わらず、報知画面が表示されることがない。本実施の形態１において、番組表画面に係る操作キーを受付ける場合を示したが、番組表画面に限るものではなく、映像出力装置１又は映像表示装置２に係る操作を受付けるための操作画面であればよい。
【００４３】
実施の形態２
本実施の形態２は、実施の形態１が、リモコン信号を映像出力装置１により受信されるよう構成されているのに対して、リモコン信号を映像表示装置２により受信されるよう構成されている。映像表示装置２は、受信したリモコン信号が映像表示装置コードを有しており、リモコン３の操作部に備えられた番組キーの操作を示している場合、番組表モードに設定する。番組表モードに設定した映像表示装置２は、番組表画面を表示部２８に表示する。また、映像表示装置２は、受信したリモコン信号が映像出力装置コードを有しており、リモコン３の操作部に備えられた番組キーの操作を示している場合、映像出力装置１を番組表モードに設定させる。番組表モードに設定された映像出力装置１は、番組表画面を映像表示装置２に出力して表示部２８に表示させる。ここで、番組表モードが映像出力装置１又は映像表示装置２に設定された状態で受信したリモコン信号が示す操作キーを受付ける動作を、リンク機能が有効に設定されている場合について説明する。
【００４４】
映像表示装置２は、番組表モードを設定している状態で受信したリモコン信号が映像表示装置コードを有しており、番組表画面に対して有効な操作キーを示している場合、係る操作キーを受付ける。映像表示装置２は、受信したリモコン信号が映像出力装置コードを有している場合、映像出力装置１にリモコン信号が示す操作キーを出力する。映像出力装置１は、番組表モードを設定している状態で映像表示装置２から与えられた操作キーが、番組表画面に対して有効な操作キーである場合、係る操作キーを受付ける。次に、番組表モードが映像出力装置１又は映像表示装置２に設定された状態で受信したリモコン信号が示す操作キーを受付ける動作を、リンク機能が無効に設定されている場合について説明する。
【００４５】
映像表示装置２は、番組表モードを設定している状態で受信したリモコン信号が映像表示装置コードを有しており、番組表画面に対して有効な操作キーを示している場合、係る操作キーを受付ける。また、番組表モードを設定している状態で受信したリモコン信号が映像出力装置コードを有しており、番組表画面に対して有効な操作キーを示している場合、操作対象が誤って映像出力装置１となっているために、リモコン３の切替スイッチ３１を映像表示装置側に切替えるよう報知する報知画面を表示部２８に表示する。報知画面は、例えば図３に示す報知画面に表示されたメッセージを「リモコンの切替スイッチを映像表示装置側に切替えて下さい。」に置き換えたものでよい。
【００４６】
図８は、実施の形態２に係るリモコン信号が示す操作キーの受付処理の手順を示すフローチャートである。映像表示装置２のＣＰＵ２０は、受信部２４がリモコン信号を受信したか否かを判定する（ステップＳ５１）。ＣＰＵ２０は、リモコン信号を受信したと判定した場合（ステップＳ５１でＹＥＳ）、受信したリモコン信号が番組キーを示しているか否かを判定する（ステップＳ５２）。ＣＰＵ２０は、リモコン信号が番組キーを示していると判定した場合（ステップＳ５２でＹＥＳ）、番組表モードの設定等を行う後述の表示側モード設定処理を実行する（ステップＳ５３）。
【００４７】
映像出力装置１のＣＰＵ１０は、ＣＰＵ２０が実行した表示側モード設定処理に応じて番組表モードの設定等を行う後述の出力側モード設定処理を実行する（ステップＳ５４）。映像表示装置２のＣＰＵ２０は、受信したリモコン信号が番組キーを示しているか否かを判定するステップ５２において、番組キーを示していないと判定した場合（ステップＳ５２でＮＯ）、リンク機能が有効に設定されているか否かを判定する（ステップＳ５５）。ＣＰＵ２０は、リンク機能が有効に設定されていると判定した場合（ステップＳ５５でＹＥＳ）、映像出力装置１との間で通信を行ってリモコン信号が示す操作キーの受付を行う後述の表示側通信処理を実行する（ステップＳ５６）。映像出力装置１のＣＰＵ１０は、ＣＰＵ２０が実行する表示側通信処理に応じて後述の出力側通信処理を実行する（ステップＳ５７）。
【００４８】
ＣＰＵ１０は、図示しない電源スイッチがオフにされた場合に出力される電源オフ信号を検出することで映像出力装置１の電源がオフにされたか否かを判定する（ステップＳ５８）。ＣＰＵ１０は、電源がオフにされたと判定した場合（ステップＳ５８でＹＥＳ）、受付処理を終了する。ＣＰＵ１０は、電源がオフにされていないと判定した場合（ステップＳ５８でＮＯ）、表示側モード設定処理に応じて出力側モード設定処理を実行するステップＳ５４に処理を戻す。映像表示装置２のＣＰＵ２０は、表示側通信処理を実行するステップＳ５６の次に、図示しない映像表示装置２に設けられた電源スイッチがオフにされた場合に出力される電源オフ信号を検出することで、映像表示装置２の電源がオフにされたか否かを判定する（ステップＳ６０）。ＣＰＵ２０は、電源がオフにされたと判定した場合（ステップＳ６０でＹＥＳ）、受付処理を終了する。
【００４９】
ＣＰＵ２０は、電源がオフにされていないと判定した場合（ステップＳ６０でＮＯ）、リモコン信号を受信したか否かを判定するステップＳ５１に処理を戻す。ＣＰＵ２０は、リンク機能が有効に設定されているか否かを判定するステップＳ５５において、有効に設定されていないと判定した場合（ステップＳ５５でＮＯ）、リモコン信号が示す操作キーの受付を行う後述の表示側受付処理を実行し（ステップＳ５９）、電源がオフにされたか否かを判定するステップＳ６０に処理を移す。また、ＣＰＵ２０は、リモコン信号を受信したか否かを判定するステップＳ５１において、リモコン信号を受信していないと判定した場合（ステップＳ５１でＮＯ）、電源がオフにされたか否かを判定するステップＳ６０に処理を移す。
【００５０】
図９は、実施の形態２に係る出力側モード設定処理及び表示側モード設定処理の手順を示すフローチャートである。映像表示装置２のＣＰＵ２０は、受信したリモコン信号が有する送信コードが映像表示装置コードであるか否かを判定する（ステップＳ６１）。ＣＰＵ２０は、映像表示装置コードでないと判定した場合（ステップＳ６１でＮＯ）、映像出力装置１に番組表モードの設定を指示する（ステップＳ６２）。映像出力装置１のＣＰＵ１０は、指示に応じて番組表モードに設定し（ステップＳ６３）、番組表画面を映像表示装置２に出力して表示部２８に表示させる（ステップＳ６４）。映像表示装置２のＣＰＵ２０は、番組表モードを指示した映像出力装置１の番組表モードの設定状態をＲＡＭ２６に記憶し（ステップＳ６５）、表示側モード設定処理を終了する。
【００５１】
ＣＰＵ２０は、受信したリモコン信号が有する送信コードが映像表示装置コードであるか否かを判定するステップＳ６１において映像表示装置コードであると判定した場合（ステップＳ６１でＹＥＳ）、番組表モードに設定する（ステップＳ６６）。ＣＰＵ２０は、番組表画面を表示部２８に表示する（ステップＳ６７）。映像表示装置２のＣＰＵ２０は、番組表モードの設定状態を映像出力装置１に出力し（ステップＳ６８）、表示側モード設定処理を終了する。映像出力装置１のＣＰＵ１０は、与えられた映像表示装置２の番組表モードの設定状態をＲＡＭ１６に記憶し（ステップＳ６９）、出力側モード設定処理を終了する。
【００５２】
図１０は、実施の形態２に係る出力側通信処理及び表示側通信処理の手順を示すフローチャートである。映像表示装置２のＣＰＵ２０は、受信したリモコン信号が有する送信コードが映像表示装置コードであるか否かを判定する（ステップＳ７１）。ＣＰＵ２０は、映像表示装置コードであると判定した場合（ステップＳ７１でＹＥＳ）、番組表モードに設定しているか否かを判定する（ステップＳ７２）。ＣＰＵ２０は、番組表モードに設定していると判定した場合（ステップＳ７２でＹＥＳ）、リモコン信号が示す操作キーが番組表画面に対して予め有効に設定されている有効キーであるか否かを判定する（ステップＳ７８）。ＣＰＵ２０は、有効キーでないと判定した場合（ステップＳ７８でＮＯ）、表示側通信処理を終了する。ＣＰＵ２０は、有効キーであると判定した場合（ステップＳ７８でＹＥＳ）、リモコン信号が示す操作キーを受付けて（ステップＳ７９）、表示側通信処理を終了する。
【００５３】
ＣＰＵ２０は、番組表モードに設定しているか否かを判定するステップＳ７２において、番組表モードに設定していないと判定した場合（ステップＳ７２でＮＯ）、ＲＡＭ２６に記憶されている映像出力装置１の番組表モードの設定状態を読み出して映像出力装置１が番組表モードに設定されているか否かを判定する（ステップＳ７３）。ＣＰＵ２０は、映像出力装置１が番組表モードに設定されていないと判定した場合（ステップＳ７３でＮＯ）、表示側通信処理を終了する。ＣＰＵ２０は、映像出力装置１が番組表モードに設定されていると判定した場合（ステップＳ７３でＹＥＳ）、映像出力装置１にリモコン信号が示す操作キーを出力し（ステップＳ７４）、表示側通信処理を終了する。ＣＰＵ２０は、受信したリモコン信号が有する送信コードが映像表示装置コードであるか否かを判定するステップＳ7１において、映像表示装置コードでないと判定した場合（ステップＳ7１でＮＯ）、映像出力装置１が番組表モードに設定されているか否かを判定するステップＳ7３に処理を移す。
【００５４】
映像出力装置１のＣＰＵ１０は、映像表示装置２から送られてきた操作キーを取得する（ステップＳ７５）。ＣＰＵ１０は、取得した操作キーが有効キーであるか否かを判定する（ステップＳ７６）。ＣＰＵ１０は、有効キーでないと判定した場合（ステップＳ７６でＮＯ）、出力側通信処理を終了する。ＣＰＵ１０は、有効キーであると判定した場合（ステップＳ７６でＹＥＳ）、取得した操作キーを受付けて（ステップＳ７７）、出力側通信処理を終了する。
【００５５】
図１１は、実施の形態２に係る表示側受付処理の手順を示すフローチャートである。映像表示装置２のＣＰＵ２０は、番組表モードに設定しているか否かを判定する（ステップＳ８１）。ＣＰＵ２０は、番組表モードに設定していると判定した場合（ステップＳ８１でＹＥＳ）、リモコン信号が示す操作キーが有効キーであるか否かを判定する（ステップＳ８２）。ＣＰＵ２０は、有効キーであると判定した場合（ステップＳ８２でＹＥＳ）、リモコン信号が有する送信コードが、映像表示装置コード及び映像出力装置コードのいずれのコードであるかを判定する（ステップＳ８３）。
【００５６】
ＣＰＵ２０は、送信コードが映像表示装置コードであると判定した場合（ステップＳ８３で“映像表示装置”）、リモコン信号が示す操作キーを受付けて（ステップＳ８４）、表示側受付処理を終了する。ＣＰＵ２０は、送信コードが映像出力装置コードであると判定した場合（ステップＳ８３で“映像出力装置”）、報知画面を表示部２８に表示し（ステップＳ８５）、表示側受付処理を終了する。ＣＰＵ２０は、番組表モードに設定しているか否かを判定するステップＳ８１において設定していないと判定した場合（ステップＳ８１でＮＯ）、及び有効キーであるか否かを判定するステップＳ８２において有効キーでないと判定した場合（ステップＳ８２でＮＯ）のいずれにおいても、表示側受付処理を終了する。
【００５７】
リモコンの切替スイッチ３１のスイッチ位置が操作対象と異なる映像出力装置１に誤って切替えられている場合であっても、映像出力装置コードを有するリモコン信号が示す操作キーを映像表示装置２が映像出力装置１に出力することで、映像出力装置１を操作することが可能となる。リンク機能が無効に設定されている場合にのみ、切替スイッチ３１が操作対象に正しく切替えられているかを判定することにより、リンク機能が有効に設定されて切替スイッチのスイッチ位置と関係なく遠隔操作することが可能であるにも関わらず、報知画面が表示されることがない。
【００５８】
本実施の形態２において、番組表画面に係る操作キーを受付ける場合を示したが、番組表画面に限るものではなく、映像出力装置１又は映像表示装置２に係る操作を受付けるための操作画面であればよい。また、本実施の形態２においては、映像表示装置２がリモコン信号を受信する場合を示したが、これに限るものはなく、映像出力装置１がリモコン信号を受信して実施の形態１に示した動作を行うよう構成しても良い。この場合、映像出力装置１及び映像表示装置２が略同時にリモコン信号を受信し、同時に受付処理を行うことがないように映像出力装置１及び映像表示装置２のうち、予め設定されたいずれかの装置が受信したリモコン信号に対してリモコン信号が示す操作キーの受付処理を実行するよう構成すると良い。
【００５９】
本実施の形態２は以上の如き構成としてあり、その他の構成及び作用は実施の形態１と同様であるので対応する部分には同一の参照番号を付してその詳細な説明を省略する。
【図面の簡単な説明】
【００６０】
【図１】実施の形態１に係る映像出力装置、映像表示装置及びリモコンの内部構成を示すブロック図である。
【図２】実施の形態１に係る番組表画面の例を示す模式図である。
【図３】実施の形態１に係る報知画面の例を示す模式図である。
【図４】実施の形態１に係るリモコン信号が示す操作キーの受付処理の手順を示すフローチャートである。
【図５】実施の形態１に係る出力側モード設定処理及び表示側モード設定処理の手順を示すフローチャートである。
【図６】実施の形態１に係る出力側通信処理及び表示側通信処理の手順を示すフローチャートである。
【図７】実施の形態１に係る出力側受付処理の手順を示すフローチャートである。
【図８】実施の形態２に係るリモコン信号が示す操作キーの受付処理の手順を示すフローチャートである。
【図９】実施の形態２に係る出力側モード設定処理及び表示側モード設定処理の手順を示すフローチャートである。
【図１０】実施の形態２に係る出力側通信処理及び表示側通信処理の手順を示すフローチャートである。
【図１１】実施の形態２に係る表示側受付処理の手順を示すフローチャートである。
【符号の説明】
【００６１】
１  映像出力装置
２  映像表示装置
３  リモコン
４  ＨＤＭＩケーブル
１０、２０  ＣＰＵ
１０ａ、２０ａ  バス
１１、２１  映像信号出力部
１２、２２  ＣＥＣ信号制御部
１３、２３  ＨＤＭＩ通信部
１４、２４  受信部
１５、２５  復号化部
１６、２６  ＲＡＭ
１７、２７  ＲＯＭ
２８  表示部
３１  切替スイッチ
３２  操作部
３３  符号化部
３４  送信部
【図１】
2009218957.tif 000003
【図２】
2009218957.tif 000004
【図３】
2009218957.tif 000005
【図４】
2009218957.tif 000006
【図５】
2009218957.tif 000007
【図６】
2009218957.tif 000008
【図７】
2009218957.tif 000009
【図８】
2009218957.tif 000010
【図９】
2009218957.tif 000011
【図１０】
2009218957.tif 000012
【図１１】
2009218957.tif 000013